(57)【要約】【課題】レセコン機能と薬歴管理機能を備えた薬局用コンピュータにおいて、両機能を有効に連携可能にし、より高度な業務レベル・業務効率を実現する。【解決手段】レセプトコンピュータ用プログラムによる機能を使用するための画面と薬歴管理用プログラムによる機能を使用するための画面とを１つのディスプレイ上に並列して表示する並列表示機能を備えており、且つ、各々の機能が並列的または連携して発揮可能とした薬局用コンピュータにおいて、レセプトコンピュータ用プログラムとして保険請求のためのレセプト作成、処方・調剤内容の入力、窓口会計の計算等の基本機能、投薬の重複・禁忌・相互作用のチェック（承認）、領収書の発行、薬剤の在庫管理、インターネット回線を使用した電子請求等の機能を含むこと。【選択図】図２
2014112422.tif 000002
【特許請求の範囲】
【請求項１】
演算処理手段、記憶手段、操作・入力手段、ディスプレイによる表示手段を備えており、レセプトコンピュータ用プログラムが前記記憶手段に格納されて少なくとも処方・調剤内容入力機能、レセプト作成機能、会計機能を発揮可能であるとともに、薬歴管理用プログラムが前記記憶手段に格納されて少なくとも薬歴保存・管理機能を発揮可能とされている薬局用コンピュータにおいて、前記レセプトコンピュータ用プログラムによる機能を使用するための画面と前記薬歴管理用プログラムによる機能を使用するための画面とを１つの前記ディスプレイ上に並列して表示する並列表示機能を備えており、且つ、各々の前記機能が並列的または連携して発揮可能とした薬局用コンピュータにおいて、前記レセプトコンピュータ用プログラムとして保険請求のためのレセプト作成、処方・調剤内容の入力、窓口会計の計算等の基本機能、投薬の重複・禁忌・相互作用のチェック（承認）、領収書の発行、薬剤の在庫管理、インターネット回線を使用した電子請求等の機能を含むことを特徴とする薬局用コンピュータ。
【請求項２】
前記レセプトコンピュータ用プログラムによる機能で入力した処方・調剤内容等のデータが、記薬歴管理用プログラムによる機能にリンクされて自動的に更新・保存されることを特徴とする請求項１に記載の薬局用コンピュータ。
【請求項３】
前記薬歴管理用プログラムによる機能に、薬歴の保存・管理の基本機能のほか、調剤記録保存・管理、患者に対する指導歴保存・管理の付加機能を含むことを特徴とする請求項１または２記載の薬局用コンピュータ。
【発明の詳細な説明】
【技術分野】
【０００１】
本発明は、レセコン機能に加え薬歴管理機能を備えて薬局業務を支援するための薬局用コンピュータに関する。
【背景技術】
【０００２】
従来、調剤薬局において患者の薬歴は紙ベースにて保存して管理していたが、近年では例えば特開２００１−３２５３６０号公報等に記載されているように、コンピュータを用いて電子的に薬歴を管理する電子薬歴管理システムが普及している。この場合、データ保存性確保等の観点から、例えば特開２００２−２３６７４９号公報等に記載されているようなレセコン（レセプトコンピュータ）とはハード的に独立したコンピュータに、薬歴管理プログラムを格納して実施されるのが一般的である。
【０００３】
一方、小規模調剤薬局など、配置スペース、資本力、人員に余裕の少ない施設においては、上述した機能ごとに異なるコンピュータを配置することは過大な負担となりやすい。そこで、レセプトコンピュータの機能（以下「レセコン機能」という）に所定レベル以上のデータの保存性、真正性、見読正を確保した電子的薬歴管理機能を加えて、１台でもこれら両機能を発揮することのできる薬局用コンピュータも提示されている。
【０００４】
しかしながら、１台で上述した両機能を発揮する薬局用コンピュータは、ソフト的に別々のレセプトコンピュータ用プログラムと薬歴管理用プログラムとが個々にインストールされているのが通常であり、互いにある程度のリンク機能はあるものの、一方の機能を使用しながら他方の機能を並列的に使用、または一方の機能を使用しながらこれに連携して他方の機能を使用しにくいものとなっている。
【０００５】
そのため、例えば薬局用コンピュータの使用者である薬剤師が、顧客である患者の過去から現在に至る調剤歴・指導歴を含む薬歴を参照しながら薬におけるコスト面の観点も含んで詳細な説明・指導を行うような場合には、機能ごとに何度も表示画面を切り替える必要が生じて余分な手間と時間を要することになる。また、１台のコンピュータでは両機能による表示内容を対比しながら判断及び説明を行えないことから、患者サービスを含む業務レベルの観点からは未だ不充分であり、業務効率全体としても改善の余地があると言わざるを得ない。
【先行技術文献】
【特許文献】
【０００６】
【特許文献１】特開２００１−３２５３６０号公報
【特許文献２】特開２００２−２３６７４９号公報
【発明の概要】
【発明が解決しようとする課題】
【０００７】
本発明は、上記のような問題を解決しようとするものであり、レセコン機能と薬歴管理機能を備えた薬局用コンピュータにおいて、両機能を有効に連携可能として、より高度な業務レベル・業務効率を実現できるようにすることを課題とする。
【課題を解決するための手段】
【０００８】
そこで、本発明は、演算処理手段、記憶手段、操作・入力手段、ディスプレイによる表示手段を備えており、レセプトコンピュータ用プログラムが前記記憶手段に格納されて少なくとも処方・調剤内容入力機能、レセプト作成機能、会計機能を発揮可能であるとともに、薬歴管理用プログラムが前記記憶手段に格納されて少なくとも薬歴保存・管理機能を発揮可能とされている薬局用コンピュータにおいて、前記レセプトコンピュータ用プログラムによる機能を使用するための画面と前記薬歴管理用プログラムによる機能を使用するための画面とを１つの前記ディスプレイ上に並列して表示する並列表示機能を備えており、且つ、各々の前記機能が並列的または連携して発揮可能とした薬局用コンピュータにおいて、前記レセプトコンピュータ用プログラムとして保険請求のためのレセプト作成、処方・調剤内容の入力、窓口会計の計算等の基本機能、投薬の重複・禁忌・相互作用のチェック（承認）、領収書の発行、薬剤の在庫管理、インターネット回線を使用した電子請求等の機能を含むことを特徴とする。
【０００９】
このように、レセコン機能を使用するための画面と薬歴管理機能を使用するための画面を１つのディスプレイ上に並列表示可能とし、各画面上の操作等で各々の機能を並列的又は連携して発揮可能としたことにより、必要に応じて２つの画面を並べて対比・参照しながら患者に説明・指導を行うなど、両機能を有機的に連携させで活用できることに加え、機能及び画面を切り替えるための手間と時間を大きく削減できるようになる。          
【００１０】
また、本発明において、前記レセプトコンピュータ用プログラムによる機能で入力した処方・調剤内容等のデータが、前記薬歴管理用プログラムによる機能にリンクされて自動的に更新・保存される。
【００１１】
さらに、上述した薬局用コンピュータにおいて、前記薬歴管理機能には、薬歴の保存・管理の基本機能のほか、調剤記録保存・管理、患者に対する指導歴保存・管理の付加機能を含む場合には、従来は紙ベースで保存していた前記内容についてもペーパーレス化が進むことに加え、患者の情報管理及び指導業務において、さらなる効率化・高度化が実現しやすい。
【発明の効果】
【００１２】
レセコン機能による画面と薬歴管理機能による画面とを１つのディスプレイ上に並列表示可能とした本発明によると、両機能を有効に連携させながら活用可能として、より高度な業務レベル・業務効率を実現することができる。
【図面の簡単な説明】
【００１３】
【図１】本発明における実施の形態の薬局用コンピュータの機能ブロック図である。
【図２】図１の薬局用コンピュータの機能を説明するためのディスプレイの画面である。
【図３】図１の薬局用コンピュータの機能を説明するためのディスプレイの画面である。
【発明を実施するための形態】
【００１４】
以下に、図面を参照しながら本発明を実施するための形態を説明する。
【００１５】
図１は、本実施の形態である薬局用コンピュータの機能ブロック図を示している。この薬局用コンピュータは、保険調剤薬局においてその業務を多面的に支援することを目的としたものであり、ＣＰＵによる演算処理手段、ハードディスクによる記憶手段、キーボード等による入力・操作手段、ディスプレイによる表示手段を備えた汎用パーソナルコンピュータに、後述するレセプトコンピュータ用プログラムがインストールされたもの（レセコン）に、薬歴管理用プログラムをインストールして電子薬歴管理機能を付加してなる。
【００１６】
この薬局用コンピュータは、その中枢をなす制御部２がレセコン用データベース４と薬歴管理用データベース５に接続されており、使用者がキーボードやバーコード読み取り手段等による入力・操作部６を介して制御部１０に指令を送ることにより、１台で後述するレセコン機能及び薬歴管理機能を発揮するようになっており、これらの機能は、主としてディスプレイによる表示部１０に表示された画面上でのアイコンのクリックや文字の入力等による操作を介して実現される。
【００１７】
尚、前述した制御部２、レセコン用データベース４、薬歴管理用データベース５はハードとして設けられたものではなく、コンピュータの記憶手段にインストールされた前記各プログラムにより機能的に実現されるものである。また、以上の構成部分は従来例にも共通した周知のものである。
【００１８】
そして、本発明の薬局用コンピュータにおいては、レセプトコンピュータ用プログラムによる機能を使用するための画面と、薬歴管理用プログラムによる機能を使用するための画面とを、その表示部１０において左右に並列的に表示可能とする並列表示機能を備えており、且つ、その状態で各々の機能が並列的に発揮可能とされている点が特徴となっている。
【００１９】
このような構成としたことにより、必要に応じてレセコン機能による画面と電子的な薬歴管理機能による画面とを左右に並べて参照しながら、使用者である薬剤師が患者指導を行うなど、両機能を連携させながら充分に活用することができ、他方を参照する度に機能及び画面を切り替える手間と時間を要しないものとなっている。
【００２０】
また、この並列表示機能を使用する場合は、そのレセプトコンピュータ用プログラムによる画面と薬歴管理用プログラムによる画面とが、選択した同一患者に関するものについて自動的に並列表示され、且つ、使用者が所望する種類の項目・レイアウトによる画面、所望する日付の内容による画面を、適宜選択して表示可能となっている。これにより、例えば所定の患者について、この左右の画面の組み合わせを日付順やデータ内容順に連続的に表示して参照することも可能とされており、さらなる業務の高度化・効率化を実現しやすくなっている。
【００２１】
さらに、上述したレセコン機能には、保険請求のためのレセプト作成、処方・調剤内容の入力、窓口会計の計算等の基本機能のほか、投薬の重複・禁忌・相互作用のチェック（承認）、領収書の発行、薬剤の在庫管理、インターネット回線を使用した電子請求等の機能を含むことが想定されるが、本発明においては、レセコン機能側で入力した処方・調剤内容等のデータは、薬歴管理機能側にリンクされて自動的に更新・保存されるようになっている。
【００２２】
一方、上述した薬歴管理機能には、薬歴の保存・管理の基本機能のほか、調剤記録保存・管理、患者に対する指導歴保存・管理の付加機能も含まれており、従来は紙ベースで保存していた前記内容についてもペーパーレス化が進むことに加え、患者の情報管理及び指導業務において、さらなる効率化・高度化が実現しやすい。
【００２３】
図２は、本実施の形態によるディスプレイの表示画面の一例を示すものである。この画面１００は、最上部に患者の基礎データを表示した横長の患者基礎データ表示画面部１３０が表示され、最下部には左右方向に各種操作用のアイコンが並んだ横長のアイコン操作部１４０が表示されており、その間のスペースにおいて左側がレセコン機能による表示画面部１１０とされ、右側が薬歴管理機能による表示画面部１２０とされて、両者が並列表示されている。
【００２４】
この例では、レセコン機能による表示画面部１１０には、選択されて患者基礎データ表示画面部１３０に表示された患者（山田太郎）についての会計画面１１１が表示されており、薬歴管理機能による表示画面部１２０には同患者に対し服薬指導をする際に参照するための服薬指導画面１２１が表示されている。
【００２５】
これらの画面は、初期画面において所定の操作で患者を選択した後、アイコン操作部１４０において会計画面１１１を表示するためのアイコンを押すとともに服薬指導画面１２１を表示するためのアイコンを押すことにより自動的に同患者のものが並列表示され、左右に並んだ表示画面部１１０，１２０において、そのレセコン機能及び薬歴管理機能が各々並列的且つ連携して実現される。
【００２６】
或いは、例えば同患者の会計時に会計画面１１１のみがディスプレイの左右に亘って表示された状態から、服薬指導画面１２１を表示するためのアイコンを押すことにより両者が並列表示されるものとしてもよく、逆に、服薬指導画面１２１のみ表示している状態から会計画面１１１を表示するためのアイコンを押しても同様に表示されるものとしてもよい。
【００２７】
また、左右の会計画面１１１、服薬指導画面１２１は、さらに複数種類の項目（データの種類・構成）による画面が各々表示可能であるとともに、所望の日付や所望の期間の内容としたものが連続的に表示できるようになっている。例えば、図の服薬指導画面１２１には、服薬指導において必要な各種情報を表示させるためのデータ表示用アイコン部１２１ａが設けられて、各項目による各種データを表示して確認できることに加え、各種検索を行うための検索部１２１ｃも付設されている。
【００２８】
このような構成としたことにより、使用者である薬剤師が、例えば薬剤・調剤点数表示部１１１ａ等のレセコン機能による情報と、薬歴表示部１２１ｂによる情報とを対比することにより患者に対してさらに詳細で的確な服薬指導を行うなど、レセコン機能による画面と薬歴管理機能による画面とを並列表示させながら各々の機能を活用することにより、業務のさらなる高レベル化、効率化が期待できるものである。
【００２９】
図３は、本実施の形態によるディスプレイ表示画面の他の一例を示すものであり、左側のレセコン機能による表示画面部１１０は図２のままであるが、右側の薬歴管理機能による表示画面部１２０が、前述した服薬指導画面１２１から展開されて、これとは構成及び日付が異なる薬歴画面１２２が表示された画面１０１となっている。
【００３０】
この薬歴画面１２２には、薬歴表示部１２２ｂ、処方履歴部１２２ｃに加え、最上部に薬歴管理において必要な各種情報を表示させるためのデータ表示用アイコン部１２２ａが設けられて各項目におけるデータが容易に表示できるようになっている。このように、左右に並列配置された表示画面部１１０，１２０において、業務内容に応じて複数種類の画面から所望する種類のデータ・構成の画面を各々表示させることができ、且つ、これらにおいて所望する日付・期間の内容も表示することも可能である。
【００３１】
尚、上述した実施の形態では、レセコン機能による表示画面部１１０と薬歴管理機能による表示画面部１２０を左右に並列表示する場合を説明したが、ディスプレイの形状に応じて上下に並べて表示可能としてもよく、また必要に応じて一方の画面のみを表示させた状態と、両方を並べて表示させた状態との間で、簡易な操作で切り替え可能としても良い。
【００３２】
以上、述べたように、レセコン機能と電子薬歴管理機能を備えた薬局用コンピュータにおいて、両機能を有効に連携可能としてより高い業務レベル・業務効率を実現できるようになった。
【符号の説明】
【００３３】
２  制御部、４  レセコン用データベース、５  薬歴管理用データベース、６  入力・操作部、１０  表示部、１００，１０１  画面、１１０，１２０  表示画面部、１１１  会計画面、１２１  服薬指導画面、１２２  薬歴画面、１３０  患者基礎データ表示画面部、１４０  アイコン操作部
【図１】
2014112422.tif 000003
【図２】
2014112422.tif 000004
【図３】
2014112422.tif 000005